(57)【要約】【課題】発色性が良好な固形水彩絵具組成物を提供する。【解決手段】固形水彩絵具組成物１１は、３０質量％以上の顔料と、２５質量％以下の水と、湿潤剤と、平均分子量１０００以上のポリエチレングリコールとを含む。【選択図】図１
2019123848.tif 000002
【特許請求の範囲】
【請求項１】
３０質量％以上の顔料と、
２５質量％以下の水と、
湿潤剤と、
平均分子量１０００以上のポリエチレングリコールとを含む、固形水彩絵具組成物。
【請求項２】
前記ポリエチレングリコールの含有割合は、２０質量％以下である、請求項１に記載の固形水彩絵具組成物。
【請求項３】
前記顔料のうち、体質顔料以外の顔料の割合は、３０質量％以上である、請求項１または請求項２に記載の固形水彩絵具組成物。
【発明の詳細な説明】
【技術分野】
【０００１】
この発明は、固形水彩絵具組成物に関するものである。
【背景技術】
【０００２】
従来から、水を含ませた筆でその表面を擦って筆に顔料成分を含ませ、画用紙等の描画対象に描画することができる固形水彩絵具組成物が、特開昭５８−９６６６１号公報（特許文献１）および特開２００７−９１９８号公報（特許文献２）に開示されている。
【先行技術文献】
【特許文献】
【０００３】
【特許文献１】特開昭５８−９６６６１号公報
【特許文献２】特開２００７−９１９８号公報
【発明の概要】
【発明が解決しようとする課題】
【０００４】
固形水彩絵具組成物はブロック状の形態を有しており、仕切りが設けられたパレットに色毎に配置されている。ユーザーは描画をする際に描画したい色に相当する固形水彩絵具組成物を目視で選択し、水を含ませた筆で固形水彩絵具組成物の表面を擦って固形水彩絵具組成物を筆に含ませることとしている。そして、固形水彩絵具組成物を含ませた筆により描画対象となる画用紙等に描画する。
【０００５】
ここで、固形水彩絵具組成物については、水を含んだ筆で擦っても、十分に筆側に固形水彩絵具組成物の成分が移行せず、色によっては発色性に乏しい場合がある。このような状況はできるだけ避けることが望ましい。
【０００６】
この発明の目的は、発色性が良好な固形水彩絵具組成物を提供することである。
【課題を解決するための手段】
【０００７】
この発明に係る固形水彩絵具組成物は、３０質量％以上の顔料と、２５質量％以下の水と、湿潤剤と、平均分子量１０００以上のポリエチレングリコールとを含む。
【０００８】
この発明に係る固形水彩絵具組成物は、３０質量％以上の顔料と、２５質量％以下の水とを含む。そして、湿潤剤および平均分子量１０００以上のポリエチレングリコールを含むため、固形水彩絵具組成物を筆に含ませる際に、良好な水溶け性を確保して、筆に固形水彩絵具組成物を十分に含ませることができる。したがって、発色性を良好にすることができる。また、平均分子量１０００以上のポリエチレングリコールを含むため、固形水彩絵具組成物自体が高湿度の環境下に置かれても、固形水彩絵具組成物の溶け出しを抑制することができる。そうすると、パレットやケース、包装資材を汚染するおそれを低減することができる。したがって、このような固形水彩絵具組成物は、ユーザーが利用しやすいものとなる。
【０００９】
この発明に係る固形水彩絵具組成物に含まれるポリエチレングリコールの含有割合は、２０質量％以下であることが好ましい。こうすることにより、固形水彩絵具組成物を筆に含ませる際に、溶けにくくなるおそれを低減することができる。
【００１０】
この発明に係る固形水彩絵具組成物において、顔料のうち、体質顔料以外の顔料の割合は、３０質量％以上である。こうすることにより、色によらず、発色性を良好にすることができる。
【００１１】
上記固形水彩絵具組成物は、さらに水溶性樹脂を含んでもよい。水溶性樹脂は、紙に顔料を定着させる展色剤として利用することができる。
【００１２】
上記水溶性樹脂は、カルボキシメチルセルロースナトリウム、ヒドロキシエチルセルロース、メチルヒドロキシエチルセルロース、およびメチルヒドロキシプロピルセルロースからなる群から選択される一種または二種以上の物質であってもよい。このような水溶性樹脂は、展色剤、および顔料を固結させる固結剤として良好である。
【００１３】
水溶性樹脂は、セルロースエーテル系水溶性樹脂であり、セルロースエーテル系水溶性樹脂の含有割合は、３０質量％以下であるようにしてもよい。こうすることにより、より良好な固形水彩絵具組成物を得ることができる。
【００１４】
上記固形水彩絵具組成物は、さらに界面活性剤を含んでもよい。界面活性剤は、顔料の分散助剤として利用することができる。
【００１５】
上記顔料は、硫酸バリウム、炭酸カルシウム、炭酸マグネシウム、カオリン、ベントナイト、珪酸、および珪酸アルミニウムからなる群から選択される一種または二種以上の物質を含んでもよい。これらの物質は、主として賦形剤としての作用をなす。
【００１６】
上記湿潤剤は、グリセリン、エチレングリコール、プロピレングリコール、ジプロピレングリコール、ソルビトール、および尿素からなる群から選択される一種または二種以上の物質であってもよい。このような湿潤剤は、凍結防止剤、および乾燥遅延剤として利用することができる。
【００１７】
上記顔料は、有機顔料、無機顔料、レーキ顔料、パール顔料、および蛍光顔料からなる群から選択される一種または二種以上の物質であってもよい。このような顔料を含むことで、良好な固形水彩絵具組成物を提供することができる。
【発明の効果】
【００１８】
このような構成の固形水彩絵具組成物は、発色性が良好である。
【図面の簡単な説明】
【００１９】
【図１】この発明の一実施形態に係る固形水彩絵具組成物の外観を示す斜視図である。
【図２】この発明の一実施形態に係る複数の固形水彩絵具組成物が収容されたパレットの外観の一部を示す斜視図である。
【図３】この発明の一実施形態に係る固形水彩絵具組成物を用いて描画する際の筆の外観を示す斜視図である。
【図４】この発明の一実施形態に係る固形水彩絵具組成物の代表的な製造工程を示すフローチャートである。
【発明を実施するための形態】
【００２０】
以下、この発明の実施の形態を説明する。図１は、この発明の一実施形態に係る固形水彩絵具組成物の外観を示す斜視図である。図１を参照して、この発明の一実施形態に係る固形水彩絵具組成物１１は、直方体形状であって、いわゆるブロック状である。すなわち、未使用の状態において、直方体形状に成型される。使用されるに従い、その大きさは徐々に小さくなる。それぞれの角については、若干丸められた形状である。図１中の矢印Ｄ１で示す下向きに見た場合に、固形水彩絵具組成物１１の表側に位置する一つの面１２は、略正方形状である。
【００２１】
図２は、複数の固形水彩絵具組成物１１が収容されたパレットの外観の一部を示す斜視図である。図２を参照して、パレット１３には、固形水彩絵具組成物１１を収容する複数の凹部１４が形成されている。凹部１４の形状は、固形水彩絵具組成物１１の直方体形状に沿ったものである。それぞれの凹部１４に、色の異なる複数の固形水彩絵具組成物１１が収容されている。収容された固形水彩絵具組成物１１は、その直方体形状を構成する一つの面１２が表側に露出した状態である。
【００２２】
図３は、固形水彩絵具組成物１１を用いて描画する際の筆の外観を示す斜視図である。図３を参照して、筆１５は、描画する際に固形水彩絵具組成物１１を含ませる毛部１６と、描画時等に主にユーザーが握る胴部１７とを備える。胴部１７は、中央の領域で第一の部材１８、および第二の部材１９に分離可能な構成である。第二の部材１９の内方側には空洞が設けられており、胴部１７を分離して、第二の部材１９の内側に水を収容することができる。第二の部材１９の空洞に所定量の水を収容し、第一の部材１８と第二の部材１９を接合し、第二の部材１９の領域をユーザーの指等で押圧することにより、第二の部材１９内に収容させた水を第一の部材１８を通じて毛部１６側に染み出させることができる。すなわち、第二の部材１９内に収容させた水により毛部１６を適量の水で濡らすことができる。ユーザーは、胴部１７を持ち、水で濡らせた毛部１６により固形水彩絵具組成物１１のうちの表側に露出する面１２をある程度の圧力で数回擦って、固形水彩絵具組成物１１の一部を筆１５側に付着させる。そして、固形水彩絵具組成物１１を含まれた筆１５の毛部１６により、画用紙等の描画対象に塗って描画する。色の選択については、固形水彩絵具組成物１１の表面を見てユーザーが判断する。
【００２３】
なお、固形水彩絵具組成物１１の形状については、直方体形状であることとしたが、これに限らず、立方体形状や薄板状であってもよいし、柱状や棒状であってもよい。すなわち、使用される用途や求められる使い勝手等に応じて、任意にその形状が定められる。
【００２４】
ここで、固形水彩絵具組成物１１は、３０質量％以上の顔料と、２５質量％以下の水と、湿潤剤と、平均分子量１０００以上のポリエチレングリコールとを含む。以下、固形水彩絵具組成物１１を構成する成分の詳細について説明する。
【００２５】
（１）顔料
顔料としては、固形水彩絵具組成物１１を着色する意味で、種々のものが用いられる。顔料としては、有機顔料、無機顔料、レーキ顔料、パール顔料、蛍光顔料およびその他の固形水彩絵具組成物１１に用いられる顔料として一般的な着色剤などが挙げられる。これらの物質は、単独または複数種を組み合わせて用いても良い。すなわち、固形水彩絵具組成物１１を構成する顔料は、有機顔料、無機顔料、レーキ顔料、パール顔料、および蛍光顔料からなる群から選択される一種または二種以上の物質とすることができる。
【００２６】
顔料の含有割合については、３０質量％以上である。また、固形水彩絵具組成物１１に含まれる水は、２５質量％以下である。すなわち、固形水彩絵具組成物１１の全体に対して、３０質量％以上の顔料が含まれる。このような構成によれば、図１に示すような固形水彩絵具組成物１１としての形態を保つことができる。
【００２７】
ここで、顔料のうちの体質顔料は、主として賦形剤としての作用をなす。体質顔料としては、硫酸バリウム、炭酸カルシウム、炭酸マグネシウム、カオリン、ベントナイト、珪酸、珪酸アルミニウム等が挙げられる。これらの物質は、単独または複数種を組み合わせて用いても良い。固形水彩絵具組成物１１を構成する顔料に含まれる体質顔料は、硫酸バリウム、炭酸カルシウム、炭酸マグネシウム、カオリン、ベントナイト、珪酸、および珪酸アルミニウムからなる群から選択される一種または二種以上の物質とすることができる。なお、顔料としてパール顔料や蛍光顔料を採用する際には、色の濁りを抑制する観点から、体質顔料の含有割合を低く、たとえば、１．０質量％以下とすることが望ましい。
【００２８】
ここで、顔料のうちの体質顔料については、過剰な添加により、色によっては発色性が損なわれるおそれがある。たとえば、上記したパール顔料と共に体質顔料を含有させる場合において、その傾向は顕著である。したがって、顔料のうち、体質顔料以外の顔料の含有割合を３０質量％以上とすることが好ましい。こうすることにより、色によらず、発色性を良好にすることができる。
【００２９】
（２）水溶性樹脂
固形水彩絵具組成物１１に含まれる水溶性樹脂として、主に紙に顔料を定着させる展色剤として用いられる水溶性樹脂をさらに含むことが好ましい。具体的には、アラビアガム、デキストリン、ポリビニルアルコール（ＰＶＡ（Ｐｏｌｙｖｉｎｙｌ  Ａｌｃｏｈｏｌ））、ポリビニルピロリドン（ＰＶＰ（Ｐｏｌｙｖｉｎｙｌｐｙｒｒｏｌｉｄｏｎｅ））等が挙げられる。これらの物質は、単独または複数種を組み合わせて用いても良い。固形水彩絵具組成物１１を構成する水溶性樹脂は、アラビアガム、デキストリン、ポリビニルアルコール（ＰＶＡ）、およびポリビニルピロリドン（ＰＶＰ）からなる群から選択される一種または二種以上の物質とすることができる。
【００３０】
また、固形水彩絵具組成物１１に含まれる水溶性樹脂として、セルロースエーテル系水溶性樹脂を用いてもよい。このようなセルロースエーテル系水溶性樹脂は、展色剤、および顔料を固結させる固結剤として良好である。セルロースエーテル系水溶性樹脂としては、セルロースエーテルを含む水溶性樹脂であり、カルボキシメチルセルロースナトリウム、ヒドロキシエチルセルロース、メチルヒドロキシエチルセルロース、メチルヒドロキシプロピルセルロース等が挙げられる。これらの物質は、単独または複数種を組み合わせて用いても良い。固形水彩絵具組成物１１を構成するセルロースエーテル系水溶性樹脂は、カルボキシメチルセルロースナトリウム（ＣＭＣ（Ｓｏｄｉｕｍ  Ｃａｒｂｏｘｙｍｅｔｈｙｌ  Ｃｅｌｌｕｌｏｓｅ））、ヒドロキシエチルセルロース、メチルヒドロキシエチルセルロース、およびメチルヒドロキシプロピルセルロースからなる群から選択される一種または二種以上の物質とすることができる。
【００３１】
セルロースエーテル系水溶性樹脂の含有割合として、過剰に含有させると、色によっては発色性が低下したり、水溶け性が低下したりする場合がある。したがって、全体に対して３０質量％以下とすることが好ましい。
【００３２】
（３）湿潤剤
固形水彩絵具組成物１１は、凍結防止剤、乾燥遅延剤として作用する湿潤剤を含むことが好ましい。湿潤剤は、描画を終えた後の塗膜のひび割れ防止にも作用する。湿潤剤としては、グリセリン、エチレングリコール、プロピレングリコール、ジプロピレングリコール、ソルビトール、尿素等が挙げられる。これらの物質は、単独または複数種を組み合わせて用いても良い。固形水彩絵具組成物１１を構成する湿潤剤は、グリセリン、エチレングリコール、プロピレングリコール、ジプロピレングリコール、ソルビトール、および尿素からなる群から選択される一種または二種以上の物質とすることができる。
【００３３】
ここで、固形水彩絵具組成物１１は、さらなる湿潤剤として平均分子量１０００以上のポリエチレングリコール（ＰＥＧ（Ｐｏｌｙｅｔｈｙｌｅｎｅ  ｇｌｙｃｏｌ））を含む。このようなＰＥＧは、分子量がある程度高いため、水溶け性を良好にすることができる。なお、このような平均分子量については、日本分光株式会社製のＧＰＣ（Ｇｅｌ  Ｐｅｒｍｉａｔｉｏｎ  Ｃｈｒｏｍａｔｏｇｒａｐｈｙ）分析装置による測定により導出される。より好ましくは、平均分子量が１０００〜８３００程度のＰＥＧを用いる。なお、このようなＰＥＧの含有の有無については、たとえば、ガスクロマトグラフィーによる分析で判断することができる。
【００３４】
（４）界面活性剤（分散剤）
固形水彩絵具組成物１１は、顔料の分散助剤として作用する界面活性剤を含むことが好ましい。界面活性剤としては、アニオン系界面活性剤やノニオン系界面活性剤等が挙げられる。これらの物質は、単独または複数種を組み合わせて用いても良い。なお、このような界面活性剤の含有の有無については、たとえば、ＦＴ−ＩＲ（Ｆｏｕｒｉｅｒ  Ｔｒａｎｓｆｏｒｍ  Ｉｎｆｒａｒｅｄ  Ｓｐｅｃｔｒｏｓｃｏｐｙ）分析により判断することができる。
【００３５】
（５）その他の成分
固形水彩絵具組成物１１は、上記（１）〜（４）の成分のほか、例えば、消泡剤、防腐剤、防黴剤、酸化防止剤等を含んでいてもよい。消泡剤としては、消泡効果を奏する界面活性剤が挙げられる。消泡効果を奏する界面活性剤としては、シリコーン系界面活性剤、疎水性シリカ系界面活性剤、金属石鹸系界面活性剤、ポリエーテル系界面活性剤等が挙げられる。これらの物質は、単独または複数種を組み合わせて用いても良い。固形水彩絵具組成物１１を構成する界面活性剤は、シリコーン系界面活性剤、疎水性シリカ系界面活性剤、金属石鹸系界面活性剤、およびポリエーテル系界面活性剤からなる群から選択される一種または二種以上の物質とすることができる。
【００３６】
次に、この発明の一実施形態に係る固形水彩絵具組成物１１の製造方法の概略について、説明する。図４は、この発明の一実施形態に係る固形水彩絵具組成物１１の代表的な製造工程を示すフローチャートである。
【００３７】
図４を参照して、まず、顔料、水溶性樹脂、湿潤剤、平均分子量１０００以上のＰＥＧ、界面活性剤、防腐剤、および水をそれぞれ所定量準備する。そして、ニーダーで準備した材料を混練する（Ｓ１１：混練工程）。
【００３８】
次に、混練した混練物を土練機で成型する（Ｓ１２：成型工程）。この場合、細長い棒状、具体的には、四角柱状となるよう成型する。なお、成型後、４５℃の状態で２４時間乾燥させる。この段階における成形物に含まれる水の含有割合は、色によって多少の差異はあるものの、５．０質量％〜１６．０質量％程度である。
【００３９】
その後、成型したものを、所定の大きさに切断する（Ｓ１３：切断工程）。この時に、上記した図１に示す固形水彩絵具組成物１１の形状に近い形状となる。
【００４０】
そして、得られたものを乾燥させる（Ｓ１４：乾燥工程）。乾燥工程については、自然乾燥である。このようにして、この発明の一実施形態に係る固形水彩絵具組成物１１を得る。
【実施例】
【００４１】
成分組成の異なる固形水彩絵具組成物を実施例１〜実施例１１に示す配合に沿って作製し、評価試験を実施した。具体的な評価試験の内容については、後述する。また、この発明の範囲外であり、成分組成の異なる固形水彩絵具組成物を比較例１〜比較例３に示す配合に沿って作製した。そして、同様に評価試験を実施した。実施例１〜実施例１１、および比較例１〜比較例３の配合および評価結果については、表１および表２に示す。なお、表１および表２中の「−」は、材料が含まれていないことを示している。また、表１および表２中の数値の単位は、質量％である。以下に、実施例１〜実施例１１、および比較例１〜比較例３の配合の詳細について説明する。
【００４２】
【表１】
2019123848.tif 000003
【００４３】
【表２】
2019123848.tif 000004
【００４４】
（実施例１）
実施例１に係る固形水彩絵具組成物の製造に際し、以下の材料を準備した。具体的には、顔料としてＰＲ１０１（茶色系顔料）である商品名「バンドアンバーターキー」（三重カラーテクノ社製）、体質顔料として硫酸バリウムである商品名「簸性（ひせい）硫酸バリウム」（堺化学工業株式会社製）、同じく体質顔料としてカオリナイトである「ＫＡＯＬＩＮＥ  ＡＳＰ＃１７０Ｐ」（林化成株式会社製）、同じく体質顔料としてモンモリロナイトである商品名「ベントナイト」（株式会社ホージュン製）、水溶性樹脂としてアラビアガムである商品名「インスタントガム  ＢＡ」（ネキシラ社製）、同じく水溶性樹脂として焙焼デキストリンである商品名「赤玉デキストリン  Ｎｏ．１０２Ｓ」（日澱化学株式会社製）、湿潤剤としてグリセリンである商品名「精製グリセリン」（新日本理化株式会社製）、平均分子量１０００以上のＰＥＧとして平均分子量が１０００であるポリエチレングリコールである商品名「ＰＥＧ−１０００」（三洋化成工業株式会社製、平均分子量１０００）、分散剤としてアニオン系界面活性剤である商品名「プライサーフＡ−２１２Ｅ」（第一工業製薬株式会社製）、防腐剤として商品名「サンアイバックＳＡ」（三愛石油株式会社製）、および水を準備した。各材料を表１に示す配合割合で混ぜ、図４に示す製造工程に従い、実施例１に係る固形水彩絵具組成物を得た。得られた固形水彩絵具組成物における顔料の含有割合は、６５％であり、水の含有割合は、０．３％であった。
【００４５】
（実施例２）
実施例２に係る固形水彩絵具組成物の製造に際し、以下の材料を準備した。平均分子量１０００以上のＰＥＧとして平均分子量が８３００である商品名「ＰＥＧ−６０００Ｓ」（三洋化成工業株式会社製、平均分子量８３００）を準備した。顔料、水溶性樹脂、湿潤剤、分散剤、および防腐剤については、実施例１と同じものを用いた。各材料を表１に示す配合割合で混ぜ、図４に示す製造工程に従い、実施例２に係る固形水彩絵具組成物を得た。得られた固形水彩絵具組成物における顔料の含有割合は、６５％であり、水の含有割合は、０．３％であった。
【００４６】
（実施例３）
実施例２に係る固形水彩絵具組成物の製造工程において、硫酸バリウム、カオリナイト、および平均分子量が８３００であるＰＥＧの含有割合を表１に示す割合とした以外は実施例２と同様の工程で実施例３に係る固形水彩絵具組成物を得た。得られた固形水彩絵具組成物における顔料の含有割合は、７０％であり、水の含有割合は、０．３％であった。
【００４７】
（実施例４）
実施例１に係る固形水彩絵具組成物の製造工程において、硫酸バリウム、カオリナイト、および平均分子量が１０００であるＰＥＧの含有割合を表１に示す割合とした以外は実施例１と同様の工程で実施例４に係る固形水彩絵具組成物を得た。得られた固形水彩絵具組成物における顔料の含有割合は、４９％であり、水の含有割合は、０．３％であった。
【００４８】
（実施例５）
実施例２に係る固形水彩絵具組成物の製造工程において、硫酸バリウム、カオリナイト、および平均分子量が８３００であるＰＥＧの含有割合を表１に示す割合とした以外は実施例２と同様の工程で実施例５に係る固形水彩絵具組成物を得た。得られた固形水彩絵具組成物における顔料の含有割合は、４９％であり、水の含有割合は、０．３％であった。
【００４９】
（実施例６）
実施例１に係る固形水彩絵具組成物の製造工程において、平均分子量が１０００であるＰＥＧおよび平均分子量が８３００であるＰＥＧの含有割合を表１に示す割合とした以外は実施例１と同様の工程で実施例６に係る固形水彩絵具組成物を得た。得られた固形水彩絵具組成物における顔料の含有割合は、６５％であり、水の含有割合は、０．３％であった。
【００５０】
（実施例７）
実施例１に係る固形水彩絵具組成物の製造工程において、硫酸バリウム、カオリナイト、平均分子量が１０００であるＰＥＧおよび平均分子量が８３００であるＰＥＧの含有割合を表１に示す割合とした以外は実施例１と同様の工程で実施例７に係る固形水彩絵具組成物を得た。得られた固形水彩絵具組成物における顔料の含有割合は、４９％であり、水の含有割合は、０．３％であった。
【００５１】
（実施例８）
実施例１に係る固形水彩絵具組成物の製造工程において、硫酸バリウム、カオリナイト、および平均分子量が１０００であるＰＥＧの含有割合を表２に示す割合とした以外は実施例１と同様の工程で実施例８に係る固形水彩絵具組成物を得た。得られた固形水彩絵具組成物における顔料の含有割合は、７０％であり、水の含有割合は、０．３％であった。
【００５２】
（実施例９）
実施例２に係る固形水彩絵具組成物の製造工程において、硫酸バリウム、カオリナイト、および平均分子量が８３００であるＰＥＧの含有割合を表２に示す割合とした以外は実施例２と同様の工程で実施例９に係る固形水彩絵具組成物を得た。得られた固形水彩絵具組成物における顔料の含有割合は、７０％であり、水の含有割合は、０．３％であった。
【００５３】
（実施例１０）
実施例１に係る固形水彩絵具組成物の製造工程において、硫酸バリウム、およびカオリナイトを含まず、平均分子量が１０００であるＰＥＧの含有割合を表２に示す割合とした以外は実施例１と同様の工程で実施例１０に係る固形水彩絵具組成物を得た。得られた固形水彩絵具組成物における顔料の含有割合は、４３％であり、水の含有割合は、０．３％であった。
【００５４】
（実施例１１）
実施例２に係る固形水彩絵具組成物の製造工程において、硫酸バリウム、およびカオリナイトを含まず、平均分子量が８３００であるＰＥＧの含有割合を表２に示す割合とした以外は実施例２と同様の工程で実施例１１に係る固形水彩絵具組成物を得た。得られた固形水彩絵具組成物における顔料の含有割合は、４３％であり、水の含有割合は、０．３％であった。
【００５５】
（比較例１）
比較例１に係る固形水彩絵具組成物の製造に際し、以下の材料を準備した。平均分子量２００のＰＥＧである商品名「ＰＥＧ−２００」（三洋化成工業株式会社製、平均分子量２００）を準備した。顔料、水溶性樹脂、湿潤剤、分散剤、および防腐剤については、実施例１と同じものを用いた。各材料を表２に示す割合で混ぜ、図４に示す製造工程に従い、比較例１に係る固形水彩絵具組成物を得た。得られた固形水彩絵具組成物における顔料の含有割合は、６５％であり、水の含有割合は、０．３％であった。
【００５６】
（比較例２）
比較例１に係る固形水彩絵具組成物の製造工程において、硫酸バリウム、カオリナイト、および平均分子量が２００であるＰＥＧの含有割合を表２に示す割合とした以外は比較例１と同様の工程で比較例２に係る固形水彩絵具組成物を得た。得られた固形水彩絵具組成物における顔料の含有割合は、４９％であり、水の含有割合は、０．３％であった。
【００５７】
（比較例３）
比較例１に係る固形水彩絵具組成物の製造工程において、ＰＥＧを含まず、硫酸バリウム、およびカオリナイトの含有割合を表２に示す割合とした以外は比較例１と同様の工程で比較例３に係る固形水彩絵具組成物を得た。得られた固形水彩絵具組成物における顔料の含有割合は、７１％であり、水の含有割合は、０．３％であった。
【００５８】
次に、評価試験の内容について説明する。評価試験については、以下の二つの評価項目について実施した。
【００５９】
水溶け性については、上記した図３に示す筆１５で毛部１６に水をたっぷりと含ませ、固形水彩絵具組成物１１の面１２を５回擦り、画用紙にまず塗布する。そして、色がはっきり目視で判別できる程度に着色する場合を「Ａ」、着色するが色がはっきり判別できない場合を「Ｂ」、着色しない場合を「Ｃ」として評価した。「Ａ」および「Ｂ」の評価までが、問題のないレベルである。
【００６０】
耐高湿度性については、固形水彩絵具組成物１１を温度２０℃、湿度１００％の条件下で保存した。そして、保存後の状態に変化がなかった場合を「Ａ」、溶け出すまではいかないが、やや変形した場合を「Ｂ」、保存後の状態において固形水彩絵具組成物１１が溶け出し、変形した場合を「Ｃ」として評価した。「Ａ」および「Ｂ」の評価が、問題のないレベルである。
【００６１】
表１および表２を参照して、実施例１〜実施例７については、「水溶け性」、および「耐高湿度性」は全て「Ａ」の評価であり、優良なものとなっている。実施例８および実施例９については、「耐高湿度性」について全て「Ａ」の評価であるが、「水溶け性」については、「Ｂ」の評価である。したがって、良好な水溶け性を確保したい場合には、平均分子量１０００以上のＰＥＧの含有割合を０．５０質量％よりも多くするのが良い。実施例１０および実施例１１については、「水溶け性」について全て「Ａ」の評価であるが、「耐高湿度性」については、「Ｂ」の評価である。したがって、良好な耐高湿度性を確保したい場合には、平均分子量１０００以上のＰＥＧの含有割合を２５．０質量％よりも少なくするのが良い。
【００６２】
これらに対し、比較例１〜比較例３を見てみると、少なくともいずれかの項目で、「Ｃ」の評価となっている。具体的には、平均分子量１０００以上のＰＥＧを含有せず、平均分子量２００のＰＥＧを含有した比較例１および比較例２については、「耐高湿度性」の項目で「Ｃ」の評価となっている。したがって、含有されたＰＥＧの平均分子量が１０００以上ではなく２００である系については、「耐高湿度性」が不十分である。ＰＥＧを全く含有しない比較例３については、「水溶け性」の項目で「Ｃ」の評価となっている。したがって、ＰＥＧを全く含有しない系については、「水溶け性」が不十分である。
【００６３】
以上より、この発明に係る固形水彩絵具組成物によれば、発色性が良好である。
【００６４】
今回開示された実施の形態および実施例はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００６５】
この発明に係る固形水彩絵具組成物は、良好な発色性が要求される場合に、特に有効に利用される。
【符号の説明】
【００６６】
１１  固形水彩絵具組成物、１２  面、１３  パレット、１４  凹部、１５  筆、１６  毛部、１７  胴部、１８  第一の部材、１９  第二の部材。
【図１】
2019123848.tif 000005
【図２】
2019123848.tif 000006
【図３】
2019123848.tif 000007
【図４】
2019123848.tif 000008